(57)【要約】ポスターや売り場ディスプレイのような印刷物（２）が開示される。印刷物は、基板（２１）と、前記基板上に支持された接触あるいは近接検出スイッチ（２５）と、スイッチの起動に従ってメッセージ（５０）を生成するように構成されたプロセッサ（２６）と、前記メッセージを無線で送信するように構成された無線インタフェース（２６，２８）とを備える。
2015513137.tif 000002
【特許請求の範囲】
【請求項１】
基板と
前記基板上に支持された接触あるいは近接検出スイッチと
前記スイッチの起動に従ってメッセージを生成するように構成されたプロセッサと
前記メッセージを無線で送信するように構成された無線インタフェースと
を備える印刷物。
【請求項２】
前記スイッチは、導電性インクを備えている、請求項１記載の印刷物。
【請求項３】
前記スイッチは、導電性フォイルを備えている請求項１又は２に記載の印刷物。
【請求項４】
少なくとも二つの接触あるいは近接検出スイッチを含む、先行するいずれかの請求項に記載の印刷物。
【請求項５】
前記基板は、紙又はカードを備える、先行するいずれかの請求項に記載の印刷物。
【請求項６】
前記基板は、プラスチックを備える、先行するいずれかの請求項に記載の印刷物。
【請求項７】
前記無線インタフェースは、ブルートゥースに適合している、先行するいずれかの請求項に記載の印刷物。
【請求項８】
前記無線インタフェースは、ＩＥＥＥ８０２．１１に適合している、先行するいずれかの請求項に記載の印刷物。
【請求項９】
前記印刷物は、ポスターを備える、先行するいずれかの請求項に記載の印刷物。
【請求項１０】
前記印刷物は、売り場ディスプレイを備える、先行するいずれかの請求項に記載の印刷物。
【請求項１１】
前記メッセージは、モバイルアプリケーションを制御するものである、先行するいずれかの請求項に記載の印刷物。
【請求項１２】
前記メッセージは、ウエブブラウザを制御するものである、先行するいずれかの請求項に記載の印刷物。
【請求項１３】
前記メッセージは、前記物品を識別する物品識別子を含んでいる、先行するいずれかの請求項に記載の印刷物。
【請求項１４】
前記メッセージは、少なくとも一つのスイッチ識別子を含んでおり、各スイッチ識別子は、対応する起動されたスイッチを識別するようになっている、先行するいずれかの請求項に記載の印刷物。
【請求項１５】
前記メッセージは、一つ又は複数の起動されたスイッチに関する情報、例えば、スイッチが起動される順序に関する情報を含んでいる、先行するいずれかの請求項に記載の印刷物。
【請求項１６】
前記メッセージは、少なくとも一つの命令を含んでいる、先行するいずれかの請求項に記載の印刷物。
【請求項１７】
前記メッセージは、複数の命令及び／又はコンピュータコードを例えば備える複合命令を少なくとも含んでいる、先行するいずれかの請求項に記載の印刷物。
【請求項１８】
前記メッセージは、少なくとも一つの内容識別子を含んでおり、各内容識別子は、対応する内容を識別するようになっている、先行するいずれかの請求項に記載の印刷物。
【請求項１９】
前記メッセージは、少なくとも一つのユニバーサルリソース識別子を含んでいる、先行するいずれかの請求項に記載の印刷物。
【請求項２０】
前記メッセージは、内容に関する情報を含んでいる、先行するいずれかの請求項に記載の印刷物。
【請求項２１】
前記メッセージは、目標識別子を含んでいる、先行するいずれかの請求項に記載の印刷物。
【請求項２２】
ユーザにとって可視であるコードをさらに備える、先行するいずれかの請求項に記載の印刷物。
【請求項２３】
先行するいずれかの請求項に記載の印刷物と
前記印刷物と無線通信する機器と
を備えるシステム。
【請求項２４】
前記機器は、モバイル機器である、請求項２３に記載のシステム。
【請求項２５】
前記機器は、前記印刷物を操作するユーザにより制御可能なプログラムを走らせるように構成されている
請求項２３又は２４に記載のシステム。
【請求項２６】
前記機器は、前記印刷物からのメッセージの受領に対応して、外部の出所からデータを取り出すか、又は外部の出所にデータを送るように構成されている、請求項２３〜２５のいずれか１項に記載のシステム。
【請求項２７】
前記機器に内容を提供するためのサーバをさらに備える、請求項２３〜２７のいずれか１項に記載のシステム。
【請求項２８】
前記印刷物と無線通信する少なくとも一つの他の機器をさらに備える、請求項２３〜２９のいずれか１項に記載のシステム。
【請求項２９】
基板と、前記基板上に支持された接触あるいは近接検出スイッチと、メッセージを生成するためのプロセッサと、前記メッセージを無線送信する無線インタフェースとを備える印刷物において、
前記スイッチの起動に従って前記メッセージを生成すること、及び
前記メッセージを無線で送信すること
を備える方法。
【発明の詳細な説明】
【技術分野】
【０００１】
本発明は、例えばポスターや売り場ディスプレイなどの印刷物に関するものである。
【背景技術】
【０００２】
電子的要素が次第に印刷物（printed articles）に、例えば本、ポスター、及びグリーティングカードに組み込まれるようになってきており、これにより、印刷物は、一層相互作用的になっている。
【０００３】
例えば、GB 2464537 Aは、書籍を開示しており、これによれば、本を異なる方法で読むことができる。なぜなら、ユーザ入力が物語に影響することができ、及び／又は、本を開くたびに異なる物語を読者に呈示できる。
【０００４】
GB 2475253 Aは、ポスターを開示しており、これは注文品であってもよく、そして、これを使用して、ディスプレイ上において呈示を制御できる。
【０００５】
TW 2008 21976 Aは、賢い電子的ポスターを開示しており、これは自動的に、さまざまな媒体情報、例えばテキスト、音声メッセージ、写真ファイル、あるいは動画ファイルを、製品の周囲のクライアントに送信する。
【発明の概要】
【０００６】
本発明の第１の面によれば、印刷物が提供され、これは、基板（substrate）と、この基板上で支持された接触あるいは近接検出スイッチ（touch- or proximity-sensitive switch）と、スイッチの動作に応じてメッセージを生成するように構成されたプロセッサと、メッセージを無線で、例えば低電力ブルートゥース（登録商標）で送信するように構成された無線インタフェースとを備える。
【０００７】
したがって、印刷物を使用して、モバイル機器を制御することができ、そして、このモバイル機器を、例えば音響などの内容（content）を表現するためのエージェントとして用いて、印刷物の機能性を強化することができる。たとえば、ユーザは、ポスター上の画像に接触することができ、そして、ポスター上に表示された画像に対応する音響断片（audio clip）（例えば演説及び／又は音響効果）をモバイル機器に取り出させて再生することができる。音声断片は、モバイル機器上に局所的に格納されていてもよく、あるいは、サーバ上に遠隔的に格納されていてもよい。したがって、内容は、印刷物に格納されたり、それによって送信されたりする必要はない。
【０００８】
追加的に又は代替的に、印刷物を用いて情報を収集することができ、そして、その情報（あるいはその情報から生成されるデータ）を、遠隔地に無線で送信することができる。
【０００９】
スイッチは、導電性インク（conductive ink）、例えば銀、銅、あるいはカーボン系のインクを備えることができる。スイッチは、導電性フォイル（conductive foil）を備えることができる。したがって、接触あるいは近接検出スイッチを、例えば印刷又は箔押しによって、容易にかつ安価に印刷物に組み込むことができる。
【００１０】
印刷物は、少なくとも二つの接触あるいは近接検出スイッチを備えることができる。したがって、印刷物を用いて、より複雑な制御形態を提供することができる。
【００１１】
基板は、紙若しくはカード、及び／又はプラスチックを備えることができる。基板は、積層物（laminate）を備えることができる。
【００１２】
無線インタフェースは、ブルートゥース（登録商標）及び／又はIEEE 802.11（すなわちWiFi）に適合する（compatible）ものであってもよい。
【００１３】
印刷物は、ポスターあるいは売り場ディスプレイを備えることができる。売り場ディスプレイは、縁取り（shelf edging）、模擬包装（dummy pack）（つまり空包み（empty pack））、表示包装（display pack）、表示スタック（display stack）、可動物（mobile）、ポスター、あるいは垂れ幕（banner）の形態をとることができる。
【００１４】
メッセージは、モバイルアプリケーションを制御することができる。メッセージはウエブブラウザを制御することができる。
【００１５】
印刷物は、例えば、暗号化され又は符号化された信号を送信すること（及び選択的には受信すること）によって、モバイル機器との安全な通信を確立するように構成されることができる。しかしながら、暗号化されない情報が送信されてもよい。
【００１６】
メッセージは、印刷物を識別するための物品識別子（article identifier）を含むことができる。メッセージは、少なくとも一つのスイッチ識別子を含むことができ、各スイッチ識別子は、対応する起動されたスイッチ（actuated switch）を識別する。同じスイッチが複数回起動されてもよい。メッセージは、一つ又は複数の起動されたスイッチについての情報、例えば、スイッチが起動される順序についての情報、あるいは、スイッチが起動された時間についての情報を含むことができる。メッセージは、少なくとも一つの命令、例えばディスプレイ上のポインタあるいは焦点を動かすためのものを含むことができる。メッセージは、少なくとも一つの複合命令（complex command）、例えば、スクリプトあるいはアプレットのような、複数の命令及び／又は計算機コードを備えるものを含むことができる。メッセージは、少なくとも一つの内容識別子を含むことができ、それぞれの内容識別子は、それぞれの内容を識別する。メッセージは、少なくとも一つのユニバーサルリソース識別子（URI）、例えばIPアドレスを含むことができる。URIは、内容の出所（source of content）を識別することができる。メッセージは、内容についての情報を含むことができる。メッセージは、目標識別子（target identifier）を含むことができ、それは、例えば、内容、計算機コード、及び／又は他のデータが送信されるべき装置を特定する。メッセージは、タイムスタンプを含むことができる。メッセージは、複数のメッセージを含むことができる。
【００１７】
印刷物は、ユーザから見えるコードを含むことができ、それは例えばクイックレスポンス（QR）コードである。
【００１８】
本発明の第２の側面によれば、システムが提供され、それは、印刷物と、この印刷物との無線通信を行う装置とを備える。
【００１９】
装置は、好ましくは、他のネットワークに接続される。
【００２０】
装置は、スマートフォン、タブレットコンピュータ、あるいは他の携帯式装置の形態のようなモバイル機器であってもよい。装置は、無線アクセスノードを備えることができる。
【００２１】
印刷物からのメッセージを受信することに対応して、外部ソース、例えばサーバから内容物を取り出すように、あるいは、外部ソース、例えばサーバにデータを送るように装置を構成することができる。
【００２２】
印刷物から送信された初期メッセージに対応して、スイッチの動作に対応して印刷物から送られる更なるメッセージを解釈するための設定（settings）を取り出すように装置を構成することができる。初期メッセージは、識別子（例えば名前）及び／又はアドレス（例えばメディアアクセス制御アドレス）を含むことができる。装置は、メッセージに応答し、そして設定を取り出すためのアプリケーションを備えることができる。システムは、設定を格納するサーバをさらに備えることができる。
【００２３】
システムは、モバイル機器に内容（content）を提供するためのサーバをさらに備えることができる。したがって、印刷物に内容を格納したり、印刷物によって送信したりする必要はない。モバイル機器は、大容量データを格納する及び／又は取り出すことができて、そして再生できるものであってもよい。
【００２４】
内容は、音響コンテンツ、例えば演説、音楽、あるいは音響効果を含むことができる。内容は、画像コンテンツ、例えば絵画あるいは写真、及び／又は動画コンテンツを含むことができる。
【００２５】
本発明の第３の側面によれば、モバイル機器が提供され、これは、印刷物からの初期メッセージ（ここで初期メッセージは印刷物あるいはこの印刷物に関連するアプリケーションを識別する識別子を含んでいる）の受領に対応して、印刷物からのさらなるメッセージを解釈するための情報（あるいは「設定」）を、遠隔サーバから取り出すように構成される。この機器は、印刷物からのさらなるメッセージ（このさらなるメッセージはスイッチを識別する識別子を含んでいる）の受領に対応して、さらなるメッセージに機器を、前記情報（あるいは設定）に従って応答させるように構成されてもよい。
【００２６】
モバイル機器は、アプリケーションを含むことができ、それは、初期メッセージの受領に対応して、情報（あるいは設定）を遠隔サーバから取り出す構成とされている。アプリケーションは、さらなるメッセージの受領に対応して、情報（あるいは設定）に従って、さらなるメッセージに機器を対応させるように構成されてもよい。
【００２７】
機器は、複数のさらなるメッセージを取り出してもよい。
【００２８】
本発明の第４の側面によれば、印刷物からの初期メッセージを無線で受け取る装置を備える方法が提供され、ここで、前記初期メッセージは、印刷物あるいはこの印刷物に関連するアプリケーションを識別する識別子を含んでおり、そして、この識別子を用いて、印刷物からのさらなるメッセージを解釈するための情報（あるいは「設定」）を取り出すようになっている。
【００２９】
装置は、印刷物と対とされることができ、設定を取り出すことができ、そして印刷物から受領したさらなるメッセージを解釈することができる。
【００３０】
装置は、遠隔サーバからの情報を取り出すことができる。
【００３１】
印刷物は、基板と、この基板上に支持された接触あるいは近接検出スイッチと、スイッチの起動に従ってメッセージを生成するプロセッサと、無線で前記メッセージを送信するように構成された無線インタフェースとを備える。前記方法は、初期メッセージを、例えば初回のあるいは所定時間内での初回の起動に応じて送信する印刷物を備える。これは、印刷物と機器とを対にするために、そして、装置に設定を取り出させるために使用できる。
【００３２】
印刷物は、基板上に支持された複数の接触あるいは近接検出スイッチを備えることができる。
【００３３】
前記方法は、スイッチの起動に対応してさらなるメッセージを送信する印刷物を備えることができ、ここで、メッセージは、前記スイッチを識別するための識別子を含む。
【００３４】
本発明の第５の側面によれば、印刷物にクランプされるように構成された少なくとも一つの電子的要素を収容するユニットが提供される。
【００３５】
ユニットは、少なくとも一つの電子的要素に接続された内側クランプ面上の少なくとも一つの導電性パッドのセットを支持するクランプ部材（clamping members）を備えることができる。
【００３６】
本発明の第６の側面によれば、少なくとも一つの導電性パッドのセットを支持する印刷物と、少なくとも一つの導電性パッドにわたって印刷物にクランプされた少なくとも一つの電子的要素を収容するユニットとを備えるアセンブリが提供される。
【図面の簡単な説明】
【００３７】
本発明についてのいくつかの実施形態が、例示として以下に記載されており、ここで下記の添付図面が参照される：
【図１】図１は、ユーザ入力を受領可能で、かつ、他の機器に無線通信可能な印刷物を含むシステムを示す。
【図２】図２は、図１に示す印刷物に含まれるマイクロコントローラのブロック図である。
【図３】図３は、図１に示すモバイル機器のブロック図である。
【図４】図４は、他の機器にメッセージを送信する印刷物を示す。
【図４ａ】図４ａは、図４に表されたメッセージを示す。
【図５】図５は、モバイル機器にメッセージを送信する印刷物を示す。
【図６】図６は、図５に示す印刷物とモバイル機器との間でのデータの流れを示すブロック図である。
【図７】図７は、モバイル機器にメッセージを送信する印刷物と、内容を取り出すモバイル機器とを示す。
【図８】図８は、図７に示す印刷物とモバイル機器とサーバとの間でのデータの流れを示すブロック図である。
【図９】図９は、モバイル機器にメッセージを送信する印刷物を示しており、ここで、モバイル機器は、内容を取り出して、その内容を印刷物に転送する。
【図１０】図１０は、図９に示す印刷物とモバイル機器とサーバとの間でのデータの流れを示すブロック図である。
【図１１】図１１は、モバイル機器又はルーティングノードにメッセージを送信する印刷物を示しており、ここで、モバイル機器又はルーティングノードは、内容を要求し、サーバは、内容を他の機器に転送する。
【図１２】図１２は、図１１に示す印刷物とモバイル機器あるいはルーティングノードとサーバと他の機器との間でのデータの流れを示すブロック図である。
【図１３】図１３は、一つ又は複数の印刷物とロギングノードとサーバとの間でのデータの流れを示すブロック図である。
【図１４】図１４は、印刷物とモバイル機器とサーバとの間でのデータの流れを示すブロック図である。
【図１５】図１５は、印刷物にクランプされうるユニットを示す背面図である。
【図１６】図１６は、クランプされたときの図１５中のユニットを示す側面図である。
【図１７】図１７は、クランプされないときの図１５中のユニットを示す側面図である。
【実施形態についての詳細な説明】
【００３８】
無線システム１
図１を参照して、無線システム１が示されている。
【００３９】
無線システム１は、少なくとも一つの印刷物２と、少なくとも一つの他の機器３，４，５とを備える。この、あるいはそれぞれの印刷物２（以降では、一つの印刷物２のみが参照される）は、ユーザ入力を、例えば容量性接触検出を介して受け取り、そして、対応する無線リンク６，７，８を介して機器３，４，５と無線通信することができる。印刷物２は、好ましくは、低電力短距離（＜１００ｍ）の無線通信技術、例えば低電力（v4.0）Bluetoothを用いて通信を行う。
【００４０】
少なくとも一つの他の機器３，４，５は、モバイル機器３、ルーティングノード４、及び／又はロギングノード５を含むことができる。
【００４１】
モバイル機器３は、基地局９と、モバイル通信リンク１０を介して無線通信可能となっている。基地局９は、モバイル通信ネットワーク１１に接続されている。モバイル機器３は、無線リンク１２を介してルーティングノード４と、及び／又は無線リンク１３を介してロギングノード４と無線通信できるものであってもよい。
【００４２】
モバイル機器３は、モバイルアプリケーション１４（口語的にはしばしば「アプリ」として参照される）と内容１５とを、第１及び第２のサーバ１６，１７から、それぞれルーティングノード４及び一つ又は複数のネットワーク１８を介してダウンロードすることができる。
【００４３】
ロギングノード５は、第３のサーバ１９と、一つ又は複数のネットワーク１８を介して通信して、ログデータ（logged data）２０を格納することができる。
【００４４】
他のサーバ（例えばウエブサーバ）は、ネットワーク１８に接続されている。
【００４５】
印刷物２
依然として図１を参照すると、印刷物２は、ポスターの形態（これは例えば、壁や、他の垂直あるいは非水平の面上に載置され、又は、テーブルや他のほぼ水平な面上に載置あるいは展開されている）をとっている。印刷物２は、売り場ディスプレイであってもよく、また、縁取り（shelf edging）、模擬包装（dummy pack）（つまり空包み（empty pack））、表示包装（display pack）、表示スタック（display stack）、可動物（mobile）、ポスター、あるいは垂れ幕（banner）の形態をとることができる。
【００４６】
印刷物２は、シート状の不透明な基板２１を含んでおり、これは、第１及び第２の面２２，２３を有する。基板２１は、紙、カード、プラスチック、あるいは他の柔軟な、又は非柔軟な材質から形成可能である。基板２１の第１面（前面）２２には、テキスト、アイコン、図形（graphic）、画像（images）、及び／又は他のしるし（indicia）２４が供給されている。基板２１の第２面（裏面）２３には、導電性パッド２５が供給され、これは、近接検出スイッチを提供する。導電性パッド２５は、コントローラ２６に、導電性トラック２７を介して接続されている。コントローラ２６は、アンテナ２８を有しており、これは、基板２１の第２面２３上に提供されうる。コントローラ２６は、マイクロコントローラの形態をとる。
【００４７】
コントローラ２６及び／又は他の要素は、（例えばはんだ付けによって）プリント回路基板（図示せず）により支持され、又はこれに取り付けられていてもよく、これは、基板２１に、例えば導電性接着剤もしくはテープを用いて取り付けられている。コントローラ２６、及び／又は他の要素は、例えば導電性接着剤もしくはテープを用いて、基板２１に直接に取り付けられていてもよい。
【００４８】
ある実施形態では、二つ又はそれより多いシート状基板を使うことができる。第１基板（図示せず）は、しるし２４を支持することができる。もし第１基板が透明であれば、しるし２４を背面に形成することができる。保護層（図示せず）を第１基板上に提供することができる。第２基板（図示せず）を用いて導電性パッド２５と導電性トラック２７とを支持することができる。第３基板（図示せず）を第１及び第２の基板の間に挿入することができる。
【００４９】
導電性パッド２５及び／又は導電性トラック２７は、導電性インク、例えば銀系の導電性インクを備えており、印刷工程、例えば基板２１へのインクジェット印刷、グラビア印刷などを用いて形成可能である。しかしながら、導電性パッド２５及び／又は導電性トラック２７は、フォイルを含んでいてもよく、そして、熱間箔押し（hot-foil stamping）より形成可能である。導電性トラック２７は、典型的には、１００ｋΩより小さい抵抗を持つ。
【００５０】
図２をさらに参照して、マイクロコントローラ２６は、プロセッサ３０と、揮発性メモリ３１と、不揮発性メモリ３２（例えばフラッシュ）と、入出力モジュール３３と、バスシステム３５に接続された無線インタフェースモジュール３４とを備える。他のモジュール及び周辺モジュールを備えることができる。さらに、単独のマイクロコントローラを使用する必要はない。たとえば、別の容量性検出モジュール及び／又は別の無線インタフェースモジュールを使用してもよい。無線インタフェースモジュール３５は、ブルートゥース（登録商標）に適合する。印刷物２は、バッテリ、太陽電池、あるいは他のパワー源を支持する。
【００５１】
図３をさらに参照して、モバイル機器３は、スマートフォン、タブレットコンピュータ、あるいは他の、無線接続性を有する手持ち機器の形態をとることができる。モバイル機器３は、プロセッサ４０と、揮発性メモリ４１と、不揮発性メモリ４２と、ディスプレイ４３と、入力デバイス４４と、スピーカ４５と、対応するアンテナ４７を有する第１無線インタフェースモジュール４６と、対応するアンテナ４８を有する第２無線インタフェースモジュール４８とを含み、これらはバスシステム４９で接続されている。マイクロフォン（図示せず）、カメラ（図示せず）、及び他の機器又はモジュールを備えることができる。ディスプレイ４３は、接触ディスプレイの形態をとることができ、したがって、入力デバイスと組み合わせることができる。
【００５２】
第１無線インタフェースモジュール４６は、ブルートゥース、Wifi、あるいは他の形態の近距離無線接続を提供する。したがって、印刷物２は、無線接続を介して、モバイル機器３と通信することができる。第２無線インタフェースモジュール４８は、移動遠隔接続（mobile telecommunications connectivity）（例えばGSM、EDGE、3G、及び／又は3G+接続）を提供する。
【００５３】
ルーティングノード４は、無線アクセスノードの形態をとることができる。ネットワーク１８は、（優先又は無線の）構内通信網及び／又は広域通信網を含むことができる。ネットワーク１８は、複数の接続されたネットワークを含むことができる。
【００５４】
ロギングノード４は、無線アクセスノード（図示せず）に接続されたサーバ（図示せず）の形態をとることができる。
【００５５】
第１サーバ１６は、モバイルアプリケーション１４をモバイル機器３に提供することができる。サーバ１６は、アプリケーション１４を局所的に格納してもよいし、あるいは、アプリケーション１４を遠隔サーバ（図示せず）から取得（fetch）してアプリケーション１４をモバイル機器３に提供してもよい。
【００５６】
第２サーバ１７は、内容（content）１５、例えば音響コンテンツをモバイル機器３に提供することができる。サーバ１７は、内容１５を局所的に格納してもよいし、あるいは、モバイルアプリケーションを遠隔サーバ（図示せず）から取得して、内容をモバイル機器３に提供してもよい。
【００５７】
印刷物２を異なる方法で使用することができる。
【００５８】
例えば、印刷物２は、モバイル機器３を制御することができ、そして、モバイル機器３を、音響のような内容の制御、取り出し、及び／又は表現のためのエージェントとして用いて、印刷物２の機能を強化することができる。
【００５９】
印刷物２を用いて、ユーザの好みを記録し、そして、例えばモバイル機器３又はロギングノード５を介してデータを転送することができる。
【００６０】
印刷物２を使用するこれらの及び他の方法をさらに詳しく説明する。
【００６１】
内容を取り出し及び／又は表現するための印刷物の使用
図１〜６を参照して、内容の取り出し及び／又は表現を、モバイル機器３又はノード４を用いて制御するために、あるいは他の同様な制御形態のために印刷物２を用いる方法が以降に記述される。
【００６２】
モバイル機器３を持つユーザは、印刷物２に向き合ったときに、専用のモバイルアプリケーション１４をダウンロードすることができる。印刷物２は、アプリケーション１４の名前を表示することができ、及び／又は、アプリケーション１４の詳細を提供したり、あるいは、アプリケーション１４をダウンロードするためのリンクもしくはモードを提供したりすることができる。したがって、モバイル機器３は、第１サーバ１６からモバイルアプリケーション１４をダウンロードすることができる（ステップＳ１）。モバイルアプリケーション１４が開始される（ステップＳ２）。このアプリケーションは、専用のモバイルアプリケーションである必要はなく、ウエブブラウザのような汎用のアプリケーション１４であってもよく、それはモバイル機器３に予めインストールされているかもしれない。ノード４の場合、適切なソフトウエアが既にインストールされているかもしれない。
【００６３】
印刷物２及び機器３，４は、無線接続を確立する（ステップＳ３）。モバイル機器３の場合、ある実施形態では、印刷物２とモバイル機器３とが無線接続６を確立した後、モバイル機器３がアプリケーション１４をダウンロードあるいは起動するようになっている。
【００６４】
ユーザは、印刷物２との相互作用を、例えば印刷物に接触して一つ又は複数のスイッチ２５を起動することにより始めることができる（ステップＳ４）。
【００６５】
コントローラ２６は、スイッチ２５の起動、又は、スイッチ２５の組み合わせの起動、又は、一連のスイッチ２５の起動を解釈し、制御メッセージ５０を識別し、一つ又は複数の制御メッセージ５０を無線でモバイル機器３又はノード４に送信する（ステップＳ５）。
【００６６】
特に図４ａを参照して、メッセージ５０が、より詳しく記載されている。
【００６７】
メッセージ５０は、一つ又は複数の部分５１，５２，５３，５４，５５，５６，５７，５８，５９を含むことができる。
【００６８】
メッセージ５０は、物品（article）を識別する物品識別子５１を含むことができる。
【００６９】
メッセージ５０は、押された単数又は複数のスイッチ２５を識別するスイッチ識別子５２を含むことができる。メッセージ５０は、他のスイッチ関連情報５３、例えば、スイッチ２５が押された順序及び／又はスイッチが押された回数を含むことができる。
【００７０】
メッセージ５０は、アプリケーション内のカーソル又は焦点を制御するために例えば使用される単純命令５４、及び／又は、例えばアプレットやスクリプトのようなコンピュータコードの形態の複合命令５５を含むことができる。
【００７１】
メッセージ５０は、内容（例えば音響コンテンツ）を識別する識別子５６、及び／又は、内容が格納されている位置を識別するユニフォームリソース識別子５７、及び／又は、他の内容関係情報５８を含むことができる。
【００７２】
メッセージ５０は、内容、コンピュータコード、及び／又はデータが送られるべき目的地を識別するための目標識別子（target identifier(s)）５９を含むことができる。
【００７３】
特に図５と図６を参照して、メッセージ５０は、モバイルアプリケーション１４に渡され、これは、メッセージ５０に含まれた命令を実行する（ステップＳ６）。
【００７４】
例えば、メッセージ５０は、識別子５６で識別された特定の内容１５を表現するための命令５４を含むことができる。この場合、内容１５はモバイル機器３に格納されており、そして、モバイル機器３は、命令に応じて動作して、内容１５を表現できる。
【００７５】
この構成（arrangement）を用いて、印刷物２の機能性を例えば強化することができる。例えば、博物館の設定では、ユーザは、ポスター２上のスイッチ２５を押すことができ、ポスター２は、音楽あるいは予め録音された解説を再生するようにモバイル機器３に命令することができる。
【００７６】
追加的にあるいは代替的に、これを用いて、ユーザの選択を記録することができ、及び／又は、表示可能な情報を提供することができる。例えば、商店の設定では、ユーザは、売り場ディスプレイ２上のスイッチ２５を押すことができる。これを用いて、ユーザが購入したい品目（item）を識別して、使用されているその品目の画像、商品在庫（stock availability）のような追加的な情報を表示することができる。
【００７７】
いくつかの例では、以下に詳しく示すように、モバイル機器３は、内容、アプリケーション、及び／又は、他のデータを取り出す必要があるかもしれない：
【００７８】
特に図７及び図８を参照して、メッセージ５０は、モバイルアプリケーション１４に渡され、これは、メッセージ５０に含まれた命令を実行する（ステップＳ６）。しかしながら、この場合、メッセージ５０は、モバイルアプリケーション１４が内容１５をダウンロードすることを命令し、あるいは要求することができる。例えば、メッセージ５０は、内容の名前、及び／又は、ユニフォームリソース識別子（URI）を含むことができる。
【００７９】
コントローラ２６は、スイッチ２５の起動、スイッチ２５の組み合わせの起動、あるいは一連のスイッチ２５の起動を解釈し、制御メッセージ５０を準備して無線的にモバイル機器３に送信する（ステップＳ５）。メッセージ５０は、モバイルアプリケーション１４に渡され、これは、内容を例えば第２サーバ１７に要求することと、要求６１を準備することとを識別する（ステップＳ６−１）。モバイル機器３は、要求６１を第２サーバ１７に送信する（ステップＳ６−２）。
【００８０】
サーバ１７は、要求６１を処理し（ステップＳ７−１）、内容１５を含む応答６２を送る（ステップＳ７−２）。モバイルアプリケーション１４は、内容１５を表現する（ステップＳ６−３）。他の例では、内容に代えて、コンピュータコード又は他のデータを要求してもよい。
【００８１】
ある例では、モバイル機器３あるいはノード４は、内容、アプリケーション、及び／又は、他のデータを取り出すことができるけれども、取り出されたリソース自体を使用するというよりもむしろ、モバイル機器３は、それを対象すなわち印刷物に渡すことができ、このことが以下に説明される：
【００８２】
依然として図７を参照し、そして、図９及び図１０をさらに参照すると、モバイル機器３は、メッセージ５０を受け取り（ステップＳ５）、要求６１を準備して送り（ステップＳ６−１及びＳ６−２）、そして、前記したように、応答６２を受け取る（ステップＳ７−２）。
【００８３】
しかしながら、内容１５を表現することに代えて、モバイル機器３は、応答６３を準備し（ステップＳ６−３Ａ）、そして、応答６３を印刷物２に送信する（ステップ６−３Ｂ）。印刷物２は、内容１５を表現する（ステップＳ８）。
【００８４】
いくつかの実施形態では、モバイル機器３は、要求される内容１５を既に格納していてもよく、そのため、内容をサーバ１７に要求する必要がないかもしれない。
【００８５】
さらに、ある実施形態では、応答６３を準備しているときに、ユーザは、内容についての複数のセットから選ぶための、あるいはユーザ関連情報（例えば名前）やユーザ選択（例えば再生音量）などを入力するための入力を提供するように促されてもよい。
【００８６】
ある実施形態では、ルーティングノード４は、モバイル機器３に取って代わってもよく、このようにすると、ユーザは、自身が所有する機器を用いる必要がない。
【００８７】
この構成を用いて、例えば印刷物２の機能をさらに強化することができる。例えば、博物館の設定では、ユーザは、ポスター２上のスイッチ２５を押すことができ、そして、ポスター２は、それにモバイル機器３あるいはルーティングノード４が音楽や記録された解説を提供するように命令することができる。モバイル機器３あるいはルーティングノード４から内容を一旦受け取ると、ポスター２は、音楽あるいは解説を再生できる。
【００８８】
ある実施形態では、モバイル機器３あるいはルーティングノード４は、内容、コンピュータコード、及び／又は、他のデータを要求し、サーバ１７は、要求されたリソースを目標に直接に、例えば他のモバイル機器３に送り、あるいは、ルーティングノード４の場合は、モバイル機器３に送ることができる。以下この点を説明する：
【００８９】
依然として図７を参照し、さらに、図１１及び図１２を参照すると、モバイル機器３は、メッセージ５０を受け取り（ステップＳ５）、そして、要求６１を準備してサーバ１７に送る（ステップＳ６−１及びＳ６−２）。
【００９０】
要求６１は、例えばＩＰアドレスの形態での目標の識別を含む。したがって、サーバ１７は、応答６４を準備して他の機器に送る（ステップＳ７−２＊）。他の機器は、内容を表現する（ステップＳ９）。
【００９１】
印刷物２とモバイル機器３（又はルーティングノード４）との相互作用を、さまざまな異なる方法で終了させることができる。例えば、ユーザは、モバイル機器３と印刷物２とのペア解除（unpair）を選択することができる。接続は、アプリの終了により中断できる。
【００９２】
印刷物２を用いて逐次的セットのメッセージ５０を送ることができ、それは異なる方法で扱われる。例えばユーザは、同じポスターにおけるスイッチを押すことができ、異なる出所から内容物を取得させることができ、及び／又は、異なる目標において表現させることができる。例えば、ユーザがスイッチを押した初回は、モバイル機器３は、そのモバイル機器３に既に格納されている内容を表現できる。２回目にユーザがスイッチを押すと、同じモバイル機器３は、遠隔の出所から内容を取り出し、そしてそれを表現することができる。３回目にユーザがスイッチを押すと、モバイル機器３は、遠隔の出所から内容を取り出し、そしてそれを、印刷物２に転送する。他の順列及び組み合わせが可能である。
【００９３】
さらに、印刷物２を使用して、逐次的なセットのメッセージ５０を、異なるモバイル機器３に送ることができる。例えば、第１のユーザは、ポスター２と相互作用でき、そして、内容を彼らのモバイル機器３に表現させることができ、そして、異なるモバイル機器３を持つ、第２の異なるユーザは、続いてポスター２と相互作用することができ、そして、彼らのモバイル機器３上に、あるいは他の場所に内容を表現させることができる。
【００９４】
さらに、異なる印刷物２を同じモバイル機器３に対して、同時に及び／又は逐次的に、無線接続することができる。例えば、ユーザは、異なるポスター上のスイッチを起動することができ、同じモバイル機器３上で内容を表現することができる。
【００９５】
印刷物２を用いてモバイル機器３（又はルーティングノード４）を制御し、そして、モバイル機器３（あるいはルーティングノード４）を、内容表現のためのエージェントとして用いて印刷物２の機能性を強化する構成は、一つ又は複数の利点を持つことができる。
【００９６】
印刷物２は、例えば音響断片（audio clip）である内容１５を直接にモバイル機器３に送信する必要がない。異なる表現を用いると、モバイル機器３は、印刷物から、表現のための内容を受け取らない。その代り、印刷物２は、内容１５を識別する命令をモバイル機器３に送り、モバイル機器３は、内容１５を取り出すことができる。
【００９７】
このように、モバイル機器３は、内容１５を、高帯域（high-bandwidth）無線接続を介して独立に取り出すことができ、そして、内容５を表現することができる。したがって、ある実施形態では、要求された内容１５を印刷物２に格納する、あるいは印刷物２により送信する必要がない。したがって、このような実施形態では、コントローラ２６を簡素化することができ、最小の処理パワー、メモリ、及び／又は、無線接続により実現することができ、そして、印刷物２のコストを減らすことに寄与しうる。
【００９８】
さらに、印刷物２にアクセスすることを必要とせずに内容１５をアップデートすることができる。例えば、古い内容（例えば演説あるいは他の音響の部分）を、単にサーバ１７でのあるいは他のサーバ（図示せず）での内容１５をアップデートすることによって、新しい内容にアップデートすることができる。これは遠隔地から実行可能である。
【００９９】
さらに、内容１５を、機器３の能力に応じて、異なる圧縮レベル、異なる暗号化レベル、及び／又は、異なるデジタル権限許可レベルを持つ、より広い幅のフォーマットで提供可能である。したがって、コントローラ２６は、異なるフォーマットやファイルサイズ等で内容を格納する必要がない。さらに、モバイル機器３は、信頼された出所からデータを取得することができる。保護された内容の使用を制御することもできる。
【０１００】
情報ロギング（information logging）のための印刷物２の使用
図１，４ａ及び１３を参照して、印刷物２を使用してユーザの好みを記録し、そして、データをロギングノード５に送る方法が以降で記載される。
【０１０１】
すでに説明したように、ユーザは、例えば印刷物２に触れて、一つ又は複数のスイッチ２５を起動することにより印刷物２と相互作用することができる。コントローラ２６は、スイッチ２５の起動、あるいはスイッチ２５の組み合わせの起動、あるいはスイッチ２５の一連の起動を解釈し、そして、適切なメッセージ５０を送信する。
【０１０２】
この例では、メッセージ５０は、物品識別子５１、スイッチ識別子５２、及び、選択的には、スイッチ情報５３を含み、それはタイムスタンプを含む。メッセージ５０は、同じ印刷物２からの及び／又は他の印刷物２からの他のメッセージと共にメッセージ５０を格納するロギングノード５に送信される。
【０１０３】
メッセージ５０あるいはメッセージから生成されたデータ（例えば統計値）は、第３サーバ１９に送信される。ロギングノード５は、メッセージの受領に際して、メッセージあるいはデータを送信することができる。追加的に又は代替的に、ロギングノード５は、メッセージ５０を格納し、そのメッセージあるいはデータを、スケジュールに従って及び／又は要求に応じて送信することができる。
【０１０４】
この構成を用いて、ユーザの好みに関する情報を集めることができる。例えば、印刷物２は、売り場ディスプレイであってもよい。売り場ディスプレイ２は、ユーザに、彼らの意見を提供するように求めたり、製品やサービスに関するフィードバックを提供するように求めたりすることができる。いくつかの売り場ディスプレイ２は、ロギングノード５を共有する商店内に配置される。
【０１０５】
ユーザ入力を受け入れ可能で、無線送信可能な売り場ディスプレイ２は、容易かつ安価に製造しうるものである。さらに、このようなディスプレイは、据え付けが容易である。
【０１０６】
さらに複雑な形態の情報ロギング（information logging）を実行可能である。
【０１０７】
図１４を参照して、コード６５、例えば、英数字のコードあるいはクイックレスポンス（ＱＲ）コードが、印刷物２上に表示、すなわち、基板２１上に印刷される（図１）。
【０１０８】
ユーザがコード６５をモバイル機器３に入力するか、あるいは、組み込み（in-built）のカメラを用いて、モバイル機器３がコード６５を読み取る。コード６５は、モバイル機器３を、ウエブサーバ６７から取り出されるウエブページ６６にアクセスさせる。ユーザは、一つ又は複数のスイッチ２５を押し、そして、コントローラ２６は、一つ又は複数のスイッチ２５の起動を解釈し、メッセージ５０を送信する。メッセージ５０は、物品識別子５１と、スイッチ識別子５２と、選択的に、タイムスタンプを含むスイッチ情報５３とを含むことができる。
【０１０９】
モバイル機器３は、今度は、メッセージ６８をロギングサーバ１９あるいはウエブサーバ６７に送る。メッセージ６８は、印刷物２からのメッセージ５０に含まれる情報、及び／又は、コード６５に含まれる情報を含むことができる。モバイル機器２は、ユーザに、付加情報（例えば名前や他の個人情報（personal details））の追加を求め、及び／又は、機器２に格納された情報（例えばＩＰアドレス）のサーバ１９，６７への送信許可申請を求める。
【０１１０】
この構成を用いて、ユーザの好みに関する情報を集めることができる。例えば、印刷物２は、割引を提案するポスターであってもよい。したがって、ユーザは、コード６５を用いてウエブサイトに行くことができ、ポスターを用いてユーザ入力を提供できる。ポスター２を介するユーザ入力は、興味を追加でき、追加的な有用情報（例えば詳細位置）を提供でき、及び／又は、小さい形状因子（small form factor）を持つモバイル機器３を介しては提供し難いユーザ入力を可能にする。
【０１１１】
前記した実施形態では、コントローラ１６及び／又は他の要素を、例えば導電性接着剤又はテープを用いて基板に取り付けることができる。
【０１１２】
図１５〜１７を参照して、コントローラ１６及び／又は他の要素（図示せず）は、分離されたユニット７１に収容されており、これは、ユニット７１を基板２１にクリップで止めること（clipping）によって基板２１（これはスイッチ２６を支持する）に取り付け可能となっている。他の要素は、スピーカ及び／又は発光ダイオードを含むことができる。
【０１１３】
この例では、ユニット７１は、一対のハンドル７２と、ヒンジ７４を介して取り付けられた、反対側のクランプ部材７３とを備える。ユニット７１は、クランプ部材７３を共に内側に駆動するばね又は他の付勢機構（図示せず）を含む。しかしながら、クランプ部材７３は、ハンドル７２を共に押すことによって分離することができる。
【０１１４】
電気接触パッド（図示せず）が、クランプ部材７３の一つ又は両方の内向き面（図示せず）に配置されている。電気接触パッドは、基板２１上の対応するパッド７５に接続できるように配置されている。電気接触パッド（図示せず）は、コントローラ２６及び／又は他の要素（図示せず）に接続されている。
【０１１５】
図１６は、基板２１にクランプされたユニット７１を示す。図１７は、ハンドル７２の反対外側面（opposing outer surfaces）をユーザが押した時のユニット７１を示し、これによって、クランプ部材７３を離間させて、ユニット７１をクランプ準備位置あるいは基板２１から外された位置に配置することができる。
【０１１６】
ユニットは、異なる形状及び異なる大きさであってもよい。ユニットは、他の異なる機構を用いて基板にクランプされるものであってもよい。
【０１１７】
この構成を用いて、コントローラ２６及び他の要素は、印刷物２に、取り外し可能なように取り付け可能となっている。これにより組み立てが容易となり、そして、比較的に高価な要素を再利用し、あるいは一時的に取り付けることができる。
【０１１８】
印刷物２を用いて内容の取り出し及び／又は表現を制御する例
先に説明したように、印刷物２、例えばポスターを用いて、内容の取り出し及び／又は表現を制御することができる。印刷物２を用いる例をさらに詳しく説明する。
【０１１９】
図１を参照して、印刷物２は、ファストフード飲食店又は他の食品店あるいは小売店のポスターの形態をとることができる。このポスターは、食事のための特別な提案を広告している。ユーザは、飲食店に入り、このポスターを見る。ユーザは、例えばスマートフォンの形態の、コントローラ・アプリケーション１４が動いているモバイル機器３を持っている。
【０１２０】
図７をさらに参照して、ユーザは、特別な提案に好意を持ち、食事を購入することを決定する。ユーザは、ポスター２に接触し、これによって、近接検出スイッチ２５が起動する。これにより、ポスター２は、メッセージ５０をモバイル機器３に送る。メッセージは、名前及びメディアアクセス制御（ＭＡＣ）アドレス又は他の情報を含むことができ、これによって、ポスター２とモバイル機器３とが対になることが可能となる。自動的に（つまり、ユーザ入力なしで）ポスター２と対になるようにモバイル機器３を構成することができる。
【０１２１】
メッセージ５０を用いて、例えば、メッセージ５０に含まれる名前やＵＲＩを用いて、モバイル機器３は、要求６１をサーバ、例えばサーバ１７に送り、ユーザ起動のスイッチ２５に対応してポスター２により送信される信号を解釈するための命令１５をダウロードする。
【０１２２】
ユーザが、ポスター２の特定の部分（例えば、提案に係る食事の写真）に触れて、食事を選択する。そして、ポスター２は、その食事のための注文が行われたことをスタッフに知らせる信号を、飲食店内の端末（図示せず）に送信する。
【０１２３】
ユーザは、支払い（例えば現金又はカード）を手渡すことができ、あるいは、キャッシュレスの支払いシステム（例えばモバイル機器２及び近距離通信を使うもの）を使うことができ、これにより、食事への支払いを行うことができる。代替的に、ユーザは、飲食店が少なくとも支払いの初期処理を行う又は少なくとも始めることを許すように、彼らのモバイル機器２を構成することができる。例えば、モバイル機器２は支払情報をポスター２に送ることができ、これは次に、この支払情報を端末（図示せず）あるいは別の売り場（ＰＯＳ）端末（図示せず）に転送して、電子的支払を始めることができる。モバイル機器２は、例えば直接に、あるいはモバイルネットワークを介して、支払情報を端末に送ることができる。例えば、支払情報は、アカウントネーム及び／又はアカウント情報（account details）を含むことができ、それにより、端末は、トランザクション（transaction）の第１セットのステップを完了できる。トランザクションは、例えば、個人識別番号（ＰＩＮ）を入力するユーザにより完了可能となっている。
【０１２４】
印刷物２は、広告ポスターの形態をとることができる。ポスターは、音楽アルバムあるいは芸術家、ゲーム、映画、又は他の形態の内容を宣伝することができる。
【０１２５】
ユーザは、何らかの音楽を聴きたいということを決める。ユーザがポスター２に触れると、近接検出スイッチ２５が起動する。前記と同様に、近接検出スイッチ２５の起動により、ポスター２は、メッセージ５０をモバイル機器３に送信する。メッセージは、名前と、メディアアクセス制御（ＭＡＣ）アドレス、又は、ポスター２及びモバイル機器３が対になるための他の情報とを含むことができる。自動的に（つまりユーザ入力なしで）ポスター２と対になるようにモバイル機器３を構成することができる。
【０１２６】
メッセージ５０を用いて、例えば、メッセージ５０に含まれる名前あるいはＵＲＩを用いて、モバイル機器３は、要求６１をサーバ１７に送り、命令１５をダウンロードして、ユーザが起動したスイッチ２５に対応してポスター２から送信された信号を解釈することができる。
【０１２７】
ユーザは、ポスター２の特定部分（例えば、曲（track）の名前）に触れて、曲を選択する。ポスター２は、信号を、モバイル機器３に送信する。信号３は、リンクを含み、これにより、アプリケーション１４は、音楽の断片をダウンロードして再生できる。
【０１２８】
ユーザは、ポスター２の特定部分に接触して、曲又はアルバムを購入できる。ポスター２は、サーバ１７に（あるいは他のサーバに）、音楽をダウンロードして支払いを受け取るためのリンクを送る。
【０１２９】
ここで記載したプロセスでは、ユーザは、直接にあるいは同時にモバイル機器３を使う必要がない。例えば、モバイル機器３は、ポケットやバックの内に置かれていてもよく、プロセス中においてユーザが扱う必要はない。
【０１３０】
したがって、需要者（すなわちユーザ）及び供給者は、データ及び情報（例えば一つ又は複数の選択、一つ又は複数の命令、一つ又は複数の部分情報、及び／又は、一つ又は複数の確認）を交換することができ、そして、印刷物２及びモバイル機器３を用いた動作及び／又はトランザクションを行うことができる。データ及び情報は、ユーザがモバイル機器３を使わなくとも、モバイル機器３を単純に通過することができる。
【０１３１】
アプリケーション１４は、異なる設定とされかつ異なる用途向けとなっている他の印刷物２と共に使用可能な汎用アプリケーションであってもよい。先に説明したように、モバイル機器３は、名前及び／又は他の情報を、印刷物３から取り出すことができ、そして、キー入力（keystrokes）に対応して印刷物２により送信された信号の解釈に必要な情報（これは単に「設定」として参照できる）を、アプリケーションサーバ１６又は内容サーバ１７から自動的にダウンロードすることができる。しかしながら、ユーザは、設定を手作業により有効化あるいは選択できる（例えば、それらを、印刷物２により送信でき、あるいは、いくつかの組み込み済み設定の一つとすることができる）。ユーザは、中央サーバ１６，１７における私的使用又は公的使用のための設定を送信して格納することもできる。サーバ１６，１７は、名前と一緒に設定を格納することができる。したがって、ユーザは、印刷物２を提示されたとき、名前を（例えば、名前を送信する印刷物によって）取得することができ、名前を用いて中央サーバ１６，１７から設定を検索して取り出すことができる。
【０１３２】
例えば、印刷物２（「印刷されたピアノ」）は、各キーに関連付けられたスイッチを伴うピアノ鍵盤（piano keyboard）を示すことができる。したがって、ユーザが初めて（あるいは所定期間の不動作の後に）キーを押すと、印刷されたピアノ２は、「ピアノ」という名前を例えば含む初期メッセージを送信する。その後（あるいは少なくとも規定時間後）、ユーザがキーを押すと、印刷されたピアノ２は、押されているキーを識別するスイッチ識別子を含むメッセージを送信する。初期メッセージを用いて、モバイル機器３は、「ピアノ」のための設定を、サーバ１６，１７から取り出すことができる。これらの設定をモバイル機器３が一旦持つと、それは異なるスイッチ識別子を解釈することができ、押されているキーに対応する（ピアノ音響の）音を再生することができる。
【０１３３】
他の印刷物２（「印刷されたフルート」）は、各穴に関連付けられたスイッチを持つフルートを示すことができる。同じプロセスにより、そして、同じアプリケーション１４を用いて、ユーザは、彼らの機器を印刷されたフルート２と対にし、設定を取り出し、そして印刷されたフルートを演奏することができる。
【０１３４】
変形
理解されることとして、前記した実施形態に対する多様な変形が可能である。
【０１３５】
例えば、印刷物は、ポスターや売り場ディスプレイの形態をとる必要はなく、本やゲーム盤であってもよい。
【０１３６】
印刷物とモバイル機器との間の無線接続は、電磁波接続である必要はなく、例えば、光リンクや音響であってもよい。
【０１３７】
コントローラ及び／又は、他の要素例えばスピーカは、別の基板あるいはフレーム上に支持されていてもよい。
【０１３８】
印刷物は、カメラ又は他の画像（静止画又は動画）取得機器を含むことができ、あるいはそれに接続されることができる。画像取得機器は、コントローラに接続されていてもよく、コントローラは画像データを送信できる。
【０１３９】
印刷物は、温度センサを含むことができ、あるいはそれに接続されることができる。温度センサは、コントローラに接続されていてもよく、コントローラは温度データを送信できる。
【０１４０】
印刷物は、印刷物の位置を決定するための位置決め（又は「位置探知」）機器（例えばＧＰＳ機器）を含むことができ、あるいはそれに接続されることができる。位置決め機器は、コントローラに接続されていてもよく、コントローラは位置データを送信できる。
【０１４１】
印刷物は、追加的に又は代替的に、アレイ状ユーザ入力、例えばＸ−Ｙ座標を提供するための一つ又は複数の接触あるいは近接検出スイッチのアレイを含むことができる。このアレイは、コントローラに接続されていてもよく、コントローラはアレイ状入力データを送信できる。
【０１４２】
印刷物は、他の印刷物と通信するように構成されていてもよい。印刷物は、無線通信リンクを介して直接に通信するように構成されていてもよい。印刷物は、ネットワーク、例えばネットワーク１８を介して通信するように構成されていてもよい。
【図１】
2015513137.tif 000003
【図２】
2015513137.tif 000004
【図３】
2015513137.tif 000005
【図４】
2015513137.tif 000006
【図４ａ】
2015513137.tif 000007
【図５】
2015513137.tif 000008
【図６】
2015513137.tif 000009
【図７】
2015513137.tif 000010
【図８】
2015513137.tif 000011
【図９】
2015513137.tif 000012
【図１０】
2015513137.tif 000013
【図１１】
2015513137.tif 000014
【図１２】
2015513137.tif 000015
【図１３】
2015513137.tif 000016
【図１４】
2015513137.tif 000017
【図１５】
2015513137.tif 000018
【図１６】
2015513137.tif 000019
【図１７】
2015513137.tif 000020
【国際調査報告】
2015513137.tif 000021
2015513137.tif 000022
2015513137.tif 000023